【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
コンピュータを、
画像表示装置が有する表示素子上に画像を表示させる画像供給手段と、
前記画像が表示される前記表示素子上の位置を示す指標を、前記表示素子上に表示させる指標表示手段とを有する装置として機能させることを特徴とするコンピュータプログラム。
【請求項２】
前記指標は、前記画像の端部と前記表示素子の端部との位置関係と、前記画像の中央の位置とを示す指標であることを特徴とする請求項１に記載のコンピュータプログラム。
【請求項３】
前記表示素子は、一対の表示素子から構成され、
前記画像供給手段は、前記一対の表示素子のそれぞれに前記画像を表示させることを特徴とする請求項１又は２に記載のコンピュータプログラム。
【請求項４】
前記装置は、
前記画像供給手段が前記表示素子上に画像を表示させるモードと、
前記画像供給手段が前記表示素子上に前記画像と異なる画像を表示させるモードとを切り換えるモード切換え手段を有することを特徴とする請求項１から３のいずれか１つに記載のコンピュータプログラム。
【請求項５】
前記モード切換え手段は、前記画像表示装置もしくは前記装置が有するモード切換えのための操作手段の操作に応じて前記モードを切り換えることを特徴とする請求項４に記載のコンピュータプログラム。
【請求項６】
前記装置は、
前記画像表示装置もしくは前記装置が有する表示位置を調整するための操作手段の操作に応じて、前記画像が表示される前記表示素子上の位置を変更する調整手段を有することを特徴とする請求項１から５のいずれか１つに記載のコンピュータプログラム。
【請求項７】
前記装置は、
前記画像が表示される前記表示素子上の位置を検出し、該位置が所定の位置になるように前記画像が表示される前記表示素子上の位置を調整する調整手段を有することを特徴とする請求項１から５のいずれか１つに記載のコンピュータプログラム。
【請求項８】
前記装置は、
前記調整手段により調整された前記画像が表示される前記表示素子上の位置を記憶する記憶手段を有することを特徴とする請求項６又は７に記載のコンピュータプログラム。
【請求項９】
画像が表示される表示素子と、
前記表示素子上に画像を表示させる画像供給手段と、
前記画像が表示される前記表示素子上の位置を示す指標を、前記表示素子上に表示させる指標表示手段とを有することを特徴とする画像表示装置。
【請求項１０】
前記指標は、前記画像の端部と前記表示素子の端部との位置関係と、前記画像の中央の位置とを示す指標であることを特徴とする請求項９に記載の画像表示装置。
【請求項１１】
前記画像表示装置が有する表示位置を調整するための操作手段の操作に応じて、前記画像が表示される前記表示素子上の位置を変更する調整手段を有することを特徴とする請求項９又は１０に記載の画像表示装置。
【請求項１２】
前記画像が表示される前記表示素子上の位置を検出し、該位置が所定の位置になるように前記画像が表示される前記表示素子上の位置を調整する調整手段を有することを特徴とする請求項９又は１０に記載の画像表示装置。
【手続補正２】
【補正対象書類名】明細書
【補正対象項目名】００１４
【補正方法】変更
【補正の内容】
【００１４】
本発明の一側面としてのコンピュータプログラムは、コンピュータを、画像表示装置が有する表示素子上に画像を表示させる画像供給手段と、該画像が表示される表示素子上の位置を示す指標を、表示素子上に表示させる指標表示手段とを有する装置として機能させることを特徴とする。
【手続補正３】
【補正対象書類名】明細書
【補正対象項目名】００１５
【補正方法】変更
【補正の内容】
【００１５】
また、本発明の他の側面としての画像表示装置は、画像が表示される表示素子と、表示素子上に画像を表示させる画像供給手段と、該画像が表示される表示素子上の位置を示す指標を、表示素子上に表示させる指標表示手段とを有することを特徴とする。
【手続補正４】
【補正対象書類名】明細書
【補正対象項目名】００１７
【補正方法】変更
【補正の内容】
【００１７】
本発明によれば、画像供給手段を介して供給された画像として、表示素子上での画像の表示位置（該画像が表示される表示素子上の位置）を示す指標が表示素子上に表示されるので、該指標に基づいて表示位置を調節することができる。したがって、グラフィックカードの種類等によって画像の出力タイミングが異なる様々な画像供給手段からコンピュータ又は画像表示装置に画像が供給される場合でも、表示素子上での画像の表示位置を適切に設定することができる。
【手続補正５】
【補正対象書類名】明細書
【補正対象項目名】００１９
【補正方法】変更
【補正の内容】
【００１９】
図８には、本発明の実施例である画像表示システムの概略構成を示している。図８において、１０は画像表示装置としてのヘッドマウントディスプレイである。１１はヘッドマウントディスプレイ１０の本体である。該本体１１には、左右一対の表示素子、該表示素子を駆動する電気回路、該一対の表示素子上に表示された画像を観察者１７の左右の眼が置かれた観察領域に提示する左右の光学系が内蔵されている。また、１２は撮像窓であり、その内側には、左右の撮像ユニットが搭載されている。１４は本体１１を観察者１７の頭部（眼前）に装着するためのフレームである。
【手続補正６】
【補正対象書類名】明細書
【補正対象項目名】００２９
【補正方法】変更
【補正の内容】
【００２９】
表示位置コントローラ３１は、液晶パネル４１上での画像の表示位置を上下左右に調整するための操作用インターフェース（操作手段）であり、例えば、上下左右に配置された４つのプッシュスイッチで実現可能である。
【手続補正７】
【補正対象書類名】明細書
【補正対象項目名】００３１
【補正方法】変更
【補正の内容】
【００３１】
情報処理装置５０は、撮影画像入力回路５１と、表示画像生成部５２と、調整用画像出力部（指標表示手段）５６と、表示画像選択部５５と、映像選択信号入力回路５４と、表示画像出力回路５３とを有する。
【手続補正８】
【補正対象書類名】明細書
【補正対象項目名】００３７
【補正方法】変更
【補正の内容】
【００３７】
図３Ａにおいて、６０は指標画像を示す。指標画像６０は、画像の端部（外縁）に配置された画素列と縦横それぞれの中央を通る画素列とが黒の指標６１として、それ以外が白として表示される画像である。指標６１は、液晶パネル４１の１画素に対応する太さを有する線によって構成され、液晶パネル４１の表示領域に対する指標画像６１の位置を示す指標となる。なお、図３Ａに示す指標画像６０および指標６１は例にすぎず、液晶パネル４１の表示領域に対する画像位置を示すことができるものであればよい。
【手続補正９】
【補正対象書類名】明細書
【補正対象項目名】００３８
【補正方法】変更
【補正の内容】
【００３８】
図３Ｂには、液晶パネル４１の表示領域（以下、パネル表示領域という）内に指標画像６１が偏って表示されている場合を示す。この場合、観察者は、指標６１とパネル表示領域の外縁（端部：外枠）との位置関係によって、指標画像６１の表示位置がパネル表示領域に対してずれていることが分かる。
【手続補正１０】
【補正対象書類名】明細書
【補正対象項目名】００４２
【補正方法】変更
【補正の内容】
【００４２】
表示位置コントローラ３１の操作によって、指標画像６０の外縁を示す指標６１とパネル表示領域の外枠とがほぼ合致した適正な表示状態を図３Ｃに示す。
【手続補正１１】
【補正対象書類名】明細書
【補正対象項目名】００６６
【補正方法】変更
【補正の内容】
【００６６】
図３Ａに示した指標画像６０を使用した場合、図３Ｃに示す適正位置での指標画像表示状態において、パネル表示領域における指標６１を表示している画素の輝度データは、他の画素に比べて高い輝度を示す。
【手続補正１２】
【補正対象書類名】図面
【補正対象項目名】図５
【補正方法】変更
【補正の内容】
【図５】
2007116538.tif 000001
【手続補正１３】
【補正対象書類名】図面
【補正対象項目名】図６
【補正方法】変更
【補正の内容】
【図６】
2007116538.tif 000002